(57)【要約】【課題】白黒画像データを、指定した画像出力装置で印刷する際に、色が偏らずユーザの好みの色味で印刷できるカラー画像データに変換する。【解決手段】色味調整値設定部１４０５で、白黒信号をユーザの所望の色味に調整するための色味調整値を設定し、設定された色味調整値と、プロファイル取得部１４０６で取得された画像出力装置のプロファイルとに基づき、色味変換テーブル保持部１４０８に格納される色味変換テーブルと、色度ラインテーブル保持部１４０９に格納される色度ラインテーブルとを生成し、生成されたテーブルを用いて、色味変換Ａ部１４０２において入力白黒信号ＧＬに対応する明度信号Ｌ＊を色度ライン上の道のり信号ｌに変換し、色味変換Ｂ部１４０３において該道のり信号ｌを色度信号ａ＊、ｂ＊に変換し、出力プロファイル変換部１４０４において、前記明度信号Ｌ＊と色度信号ａ＊、ｂ＊とを画像出力装置の色信号に変換する。【選択図】      図１４
2004266348.tif 000002
【特許請求の範囲】
【請求項１】
入力された白黒信号を所定の色空間Ａの色信号に変換する画像処理装置の色変換方法であって、
白黒信号をユーザの所望の色味に調整するための色味調整値を設定する設定工程と、
画像出力装置及び記録媒体に依存する色再現特性を取得する取得工程と、
前記取得工程で取得された色再現特性を用いて入力白黒信号を第１の色信号へ変換する第１の変換工程と、
前記設定工程で設定された色味調整値と取得工程で取得された色信号とを用いて入力白黒信号もしくは前記第１の変換工程で変換された色信号を第２の色信号へ変換する第２の変換工程と、
前記第２の変換工程で変換された色信号を第３の色信号へ変換する第３の変換工程と、
前記第３の変換工程で変換された色信号と第１の変換工程で変換された色信号とから、色空間Ａの色信号を構成し、出力する出力工程とを有することを特徴とする画像処理装置の色変換方法。
【請求項２】
前記色空間Ａの色信号は、明度と、色相及び彩度の属性に関係する色度点とによって表されることを特徴とする請求項１に記載の画像処理装置の色変換方法。
【請求項３】
前記設定工程では、前記色味調整値として、所定の白黒信号に対応する前記色空間Ａの色度点と、白黒信号に関する色空間Ａの色度点の変化率とを設定することを特徴とする請求項２に記載の画像処理装置の色変換方法。
【請求項４】
前記取得工程では、前記色再現特性として、白及び黒を示す白黒信号に対応する前記色空間Ａの色信号を取得することを特徴とする請求項３に記載の画像処理装置の色変換方法。
【請求項５】
前記設定工程において、所定の白黒信号は、中間明度に対応する白黒信号であり、
色度点の変化率は、ハイライト及びシャドウの白黒色信号に関する色度点の変化率であることを特徴とする請求項３又は請求項４に記載の画像処理装置の色変換方法。
【請求項６】
前記設定工程において、色度点の変化率は、前記色空間Ａにおいて、前記取得工程で取得された白を示す白黒信号に対応する色度点と、前記設定工程で設定された色度点と、前記取得工程で取得された黒を示す白黒信号に対応する色度点とを結ぶ線分を線分Ｌとするとき、白黒信号に関する該線分Ｌ上の道のりの変化率であることを特徴とする請求項４又は請求項５に記載の画像処理装置の色変換方法。
【請求項７】
前記第１の変換工程では、入力白黒色信号を、色空間Ａの明度を示す色信号へ変換し、
前記第２の変換工程では、入力白黒色信号もしくは前記第１の変換工程で変換された色信号を、前記線分Ｌ上の道のりを示す色信号に変換し、
前記第３の変換工程では、前記第２の変換工程で変換された色信号を、前記色空間Ａの色度点を示す色信号に変換し、
前記出力工程では、前記第１の変換工程で変換された色空間Ａの明度を示す色信号と、前記第３の変換工程で変換された色空間Ａの色度点を示す色信号とから、色空間Ａの色信号を構成して出力することを特徴とする請求項６に記載の画像処理装置の色変換方法。
【請求項８】
前記色空間Ａは、明度をＬ＊、色度点をａ＊及びｂ＊とによって表すＣＩＥ／Ｌ＊ａ＊ｂ＊色空間であることを特徴とする請求項７に記載の画像処理装置の色変換方法。
【請求項９】
前記設定工程において、前記色度点と色度点の変化率は、所定の範囲内で設定されることを特徴とする請求項７又は請求項８に記載の画像処理装置の色変換方法。
【請求項１０】
コンピュータに請求項７乃至請求項９の何れか一項に記載の画像処理装置の色変換方法を実行させるためのプログラム。
【請求項１１】
白黒信号と、所定の色空間Ａの色信号との対応関係を格納したプロファイルを作成するプロファイル作成装置であって、
白黒信号をユーザの所望の色味に調整するための色味調整値を設定する設定手段と、
画像出力装置及び記録媒体に依存する色再現特性を取得する取得手段と、
離散的な白黒信号を生成する生成手段と、
前記取得手段で取得された色再現特性を用いて生成手段で生成された白黒信号を第１の色信号へ変換する第１の変換手段と、
前記設定手段で設定された色味調整値と取得手段で取得された色信号とを用いて前記生成手段で生成された白黒信号もしくは第１の変換手段で変換された色信号を第２の色信号へ変換する第２の変換手段と、
前記第２の変換手段で変換された色信号を第３の色信号へ変換する第３の変換手段と、
前記第３の変換手段で変換された色信号と前記第１の変換手段で変換された色信号とから、プロファイルを作成して出力する出力手段とを有し、
前記色空間Ａの色信号は、明度と、色相及び彩度の属性に関係する色度点とによって表され、
前記設定手段は、前記色味調整値として、所定の白黒信号に対応する前記色空間Ａの色度点と、白黒信号に関する色空間Ａの色度点の変化率とを設定し、
前記取得手段は、前記色再現特性として、白及び黒を示す白黒信号に対応する前記色空間Ａの色信号を取得し、
前記設定手段において、前記所定の白黒信号は、中間明度に対応する白黒信号であり、
前記色度点の変化率は、ハイライト及びシャドウの白黒色信号に関する色度点の変化率であり、
前記設定手段において、前記色度点の変化率は、前記色空間Ａにおいて、前記取得手段で取得された白を示す白黒信号に対応する色度点と、前記設定手段で設定された色度点と、前記取得手段で取得された黒を示す白黒信号に対応する色度点とを結ぶ線分を線分Ｌとするとき、白黒信号に関する該線分Ｌ上の道のりの変化率であり、
前記第１の変換手段は、前記生成手段で生成された白黒色信号を、色空間Ａの明度を示す色信号へ変換し、
前記第２の変換手段では、前記生成手段で生成された白黒色信号もしくは前記第１の変換手段で変換された色信号を、前記線分Ｌ上の道のりを示す色信号に変換し、
前記第３の変換手段では、前記第２の変換手段で変換された色信号を、前記色空間Ａの色度点を示す色信号に変換し、
前記出力手段では、前記第１の変換手段で変換された色空間Ａの明度を示す色信号と、前記第３の変換手段で変換された色空間Ａの色度点を示す色信号とを用いてプロファイルを作成して出力することを特徴とするプロファイル作成装置。
【請求項１２】
前記設定手段において、前記色度点と色度点の変化率は、所定の範囲内で設定されることを特徴とする請求項１１に記載のプロフィル作成装置。
【請求項１３】
コンピュータに請求項１１又は請求項１２に記載のプロファイル作成装置のプロファイル作成方法を実行させるためのプログラム。
【請求項１４】
入力白黒画像データを指定した画像出力装置のカラー画像データに変換する画像変換装置であって、
白黒信号をユーザの所望の色味に調整するための色味調整値を設定する設定手段と、
前記画像出力装置及び記録媒体に依存する色再現特性を取得する取得手段と、前記取得手段で取得された色再現特性を用いて入力白黒画像データを構成する白黒信号を第１の色信号へ変換する第１の変換手段と、
前記設定手段で設定された色味調整値と前記取得手段で取得された色信号とを用いて入力白黒画像データを構成する白黒信号もしくは前記第１の変換手段で変換された色信号を第２の色信号へ変換する第２の変換手段と、
前記第２の変換手段で変換された色信号を第３の色信号へ変換する第３の変換手段と、
前記取得手段で取得された色再現特性を用いて前記第３の変換手段で変換された色信号と前記第１の変換手段で変換された色信号とから、前記画像出力装置のカラー画像データを作成して出力する出力手段とを有し、
前記色空間Ａの色信号は、明度と、色相及び彩度の属性に関係する色度点とによって表され、
前記設定手段は、前記色味調整値として、所定の白黒信号に対応する前記色空間Ａの色度点と、白黒信号に関する色空間Ａの色度点の変化率とを設定し、
前記取得手段は、前記画像出力装置の白及び黒を示す色信号を含む離散的な色信号に対応する前記色空間Ａの色信号を取得し、
前記設定手段において、前記所定の白黒信号は、中間明度に対応する白黒信号であり、
前記色度点の変化率は、ハイライト及びシャドウの白黒色信号に関する色度点の変化率であり、
前記設定手段において、前記色度点の変化率は、前記色空間Ａにおいて、前記取得手段で取得された白を示す色信号に対応する色度点と、前記設定手段で設定された色度点と、前記取得手段で取得された黒を示す色信号に対応する色度点とを結ぶ線分を線分Ｌとするとき、白黒信号に関する該線分Ｌ上の道のりの変化率であり、
前記第１の変換手段は、入力白黒画像データを構成する白黒信号を、色空間Ａの明度を示す色信号へ変換し、
前記第２の変換手段では、入力白黒画像データを構成する白黒信号もしくは前記第１の変換手段で変換された色信号を、前記線分Ｌ上の道のりを示す色信号に変換し、
前記第３の変換手段では、前記第２の変換手段で変換された色信号を、前記色空間Ａの色度点を示す色信号に変換し、
前記出力手段では、前記取得手段で取得された色再現特性を用いて、前記第１の変換手段で変換された色空間Ａの明度を示す色信号と、前記第３の変換手段で変換された色空間Ａの色度点を示す色信号とから、前記画像出力装置のカラー画像データを作成して出力することを特徴とする画像変換装置。
【請求項１５】
前記設定手段において、前記色度点と色度点の変化率は、所定の範囲内で設定されることを特徴とする請求項１４に記載の画像変換装置。
【請求項１６】
コンピュータに請求項１４又は請求項１５に記載の画像変換装置の画像変換方法を実行させるためのプログラム。
【請求項１７】
入力白黒画像を構成する白黒信号を接続された画像出力装置の色信号へ変換する画像処理装置であって、
白黒信号をユーザの所望の色味に調整するための色味調整値を設定する設定手段と、
前記画像出力装置及び記録媒体に依存する色再現特性を取得する取得手段と、前記取得手段で取得された色再現特性を用いて入力白黒画像を構成する白黒信号を第１の色信号へ変換する第１の変換手段と、
前記設定手段で設定された色味調整値と前記取得手段で取得された色再現特性とを用いて入力白黒画像を構成する白黒信号もしくは前記第１の変換手段で変換された色信号を第２の色信号へ変換する第２の変換手段と、
前記第２の変換手段で変換された色信号を第３の色信号へ変換する第３の変換手段と、
前記取得手段で取得された色再現特性を用いて前記第３の変換手段で変換された色信号と前記第１の変換手段で変換された色信号とを、前記画像出力装置の色信号へ変換して出力する出力手段とを有し、
前記色空間Ａの色信号は、明度と、色相及び彩度の属性に関係する色度点とによって表され、
前記設定手段は、前記色味調整値として、所定の白黒信号に対応する前記色空間Ａの色度点と、白黒信号に関する色空間Ａの色度点の変化率とを設定し、
前記取得手段は、前記画像出力装置の白及び黒を示す色信号を含む離散的な色信号に対応する前記色空間Ａの色信号を取得し、
前記設定手段において、前記所定の白黒信号は、中間明度に対応する白黒信号であり、
前記色度点の変化率は、ハイライト及びシャドウの白黒色信号に関する色度点の変化率であり、
前記設定手段において、前記色度点の変化率は、前記色空間Ａにおいて、前記取得手段で取得された白を示す色信号に対応する色度点と、前記設定手段で設定された色度点と、前記取得手段で取得された黒を示す色信号に対応する色度点とを結ぶ線分を線分Ｌとするとき、白黒信号に関する該線分Ｌ上の道のりの変化率であり、
前記第１の変換手段は、入力白黒画像を構成する白黒信号を、色空間Ａの明度を示す色信号へ変換し、
前記第２の変換手段では、入力白黒画像を構成する白黒信号もしくは前記第１の変換手段で変換された色信号を、前記線分Ｌ上の道のりを示す色信号に変換し、
前記第３の変換手段では、前記第２の変換手段で変換された色信号を、前記色空間Ａの色度点を示す色信号に変換し、
前記出力手段では、前記取得手段で取得された色再現特性を用いて前記第１の変換手段で変換された色空間Ａの明度を示す色信号と、前記第３の変換手段で変換された色空間Ａの色度点を示す色信号とから、前記画像出力装置の色信号を生成して出力することを特徴とする画像処理装置。
【請求項１８】
前記設定手段において、前記色度点と色度点の変化率は、所定の範囲内で設定されることを特徴とする請求項１７に記載の画像変換装置。
【請求項１９】
コンピュータに請求項１７又は請求項１８に記載の画像処理装置の画像変換方法を実行させるためのプログラム。
【請求項２０】
請求項１０、請求項１３、請求項１６、請求項１９の何れか一項に記載のプログラムが記録されたコンピュータ読み取り可能な記録媒体。
【請求項２１】
入力された白黒信号を画像出力装置の色信号に変換する画像処理装置の色味変換方法であって、
入力白黒信号を画像出力装置の色信号に変換する際に、前記色信号をユーザが所望の色味に調整するための色味調整値を設定する設定工程と、
前記設定工程で設定された色味調整値と前記画像出力装置のプロファイルとに基づき、前記入力白黒信号を前記画像出力装置の色信号に変換するプロファイルを生成する生成工程と、
前記生成工程で生成されたプロファイルを用いて前記入力白黒信号を前記画像出力装置の色信号に変換する変換工程とを有することを特徴とする画像処理装置の色味変換方法。
【発明の詳細な説明】
【０００１】
【発明の属する技術分野】
本発明は、入力された白黒信号を画像出力装置の色信号に変換する技術に関する。
【０００２】
【従来の技術】
近年、デジタルカメラの普及によってデジタルカラー画像の利用が急激に増加し、これらの画像を良好に印刷するためのフォトプリント技術が盛んに開発されている。これに対して、銀塩写真では、クラシックカメラで白黒写真を撮ることが流行している。白黒写真は、被写体の質感をカラー写真にはない微妙な味わいや表現力によって再現し、カラー写真とは別の表現手段として利用されている。一方、デジタル白黒画像は、現在カラー画像ほど利用されていないものの、今後デジタルカメラが白黒写真と同様の表現手段として使われるようになると、利用の拡大が見込まれる。
【０００３】
一般に、白黒画像の印刷は、黒色の色材（インクやトナー）による画像形成によって実現される。しかし、黒色の色材のみで画像形成を行う場合、黒色の色材の色特性によって印刷画像の色味がほぼ決まってしまうため、印刷画像の色味を好ましく再現するように制御することはできない。
【０００４】
また、白黒画像は、黒色（以下Ｋとする）に加え、シアン（以下Ｃとする）、マゼンタ（以下Ｍとする）、イエロ（以下Ｙとする）等の色材を利用した、所謂「コンポジットブラック」によって画像形成が行われることもある。この場合、色材を適切な割合で組み合わせることにより、白黒画像の色味を好ましく再現することができる。また、この組み合わせの割合を変えることにより、色味の調整を行うことも可能である。
【０００５】
更に、白黒画像の印刷にカラープリンタを用いる場合、特別な調整機能を持つプリンタを除いて色味の調整ができないため、白黒画像を好みの色味で出力する場合、画像データをＲＧＢの色成分信号に変換して調整が行われる。
【０００６】
【発明が解決しようとする課題】
しかしながら、上記従来例では、色味の調整を色材の量や色成分信号値の加減で行う場合、調整量と印刷色の関係が必ずしも一定でないため、思うように調整できないことが少なくない。また、調整によっては、特定の階調において色味のバランスが崩れて色味が偏って見えることもある。例えば、Ｙ色材の量を増やすこと、又はＢ信号値を減らすことによって黄色味を強くしようとしたところ、中間明度部の色味はほとんど変わらないにも関らず、ハイライト部が非常に黄色味の強い画像となることがある。更に調整によって画像の明るさが変わってしまうこともある。
【０００７】
本発明は、上記課題を解決するためになされたもので、白黒画像を色が偏らず、ユーザが好みの色味で印刷するためのプロファイルを生成できることを目的とする。
【０００８】
また、本発明の他の目的は、白黒画像データを、指定した画像出力装置で印刷する際に、色が偏らず好みの色味で印刷できるカラー画像データに変換することにある。
【０００９】
【課題を解決するための手段】
上記目的を達成するために、本発明は、入力された白黒信号を所定の色空間Ａの色信号に変換する画像処理装置の色変換方法であって、白黒信号をユーザの所望の色味に調整するための色味調整値を設定する設定工程と、画像出力装置及び記録媒体に依存する色再現特性を取得する取得工程と、前記取得工程で取得された色再現特性を用いて入力白黒信号を第１の色信号へ変換する第１の変換工程と、前記設定工程で設定された色味調整値と取得工程で取得された色信号とを用いて入力白黒信号もしくは前記第１の変換工程で変換された色信号を第２の色信号へ変換する第２の変換工程と、前記第２の変換工程で変換された色信号を第３の色信号へ変換する第３の変換工程と、前記第３の変換工程で変換された色信号と第１の変換工程で変換された色信号とから、色空間Ａの色信号を構成し、出力する出力工程とを有することを特徴とする。
【００１０】
【発明の実施の形態】
以下、図面を参照しながら本発明に係る実施の形態を詳細に説明する。
【００１１】
［第一実施形態］
第一実施形態では、カラーマネージメントシステム（ＣＭＳ）を利用した印刷において、入力白黒画像を色味が偏らず好みの色で印刷するためのプロファイルを作成する画像処理装置を例に説明する。
【００１２】
＜ＣＭＳ＞
図１は、カラーマネージメントシステム（ＣＭＳ）の概要を説明する図である。カラーマネージメントシステム（ＣＭＳ）は、本来、同一のカラー画像を複数の画像入出力装置、例えばカラーコピー１０１、カラーモニタ１０２、デジタルカメラ１０３、カラープリンタ１０４などで良好に再現するための色処理技術である。ＣＭＳによれば、入力系の色信号が出力系の色信号へ変換される。具体的には、まず入力系装置に関する所定の変換式もしくは変換テーブルにより、入力系装置に依存する入力色信号を装置に依存しないカラーマッチ色空間上の信号に変換する。このように、装置に依存する色空間上の信号とカラーマッチ色空間上の信号を相互に変換するための所定の変換式もしくは変換テーブルを、その装置の「プロファイル」と称する。そして、カラーマッチ色空間上に変換された信号に対して所定の色処理を施すことによって出力すべき信号値を得た後、その信号値を出力系である各装置のプロファイルを参照して、出力系の各装置に依存する色空間上の信号に変換する。
【００１３】
このようにＣＭＳによれば、各装置に依存する色空間とカラーマッチ色空間との間において色信号を変換することにより、複数装置間における色合わせが実現される。
【００１４】
図２は、ＣＭＳを利用した画像出力システムの一例を示すブロック図である。図２に示す画像出力システムにおいて、画像データを構成するＲＧＢ色信号は、入力プロファイル変換部２０１とカラーマッピング部２０２と出力プロファイル変換部２０３と色分解変換部２０４とにより、接続された画像出力装置の色信号ＣＭＹＫに変換される。
【００１５】
入力プロファイル変換部２０１は、入力プロファイル格納部２０５に格納された、画像入力装置の色再現特性を表すプロファイルに基づいて入力色信号ＲＧＢをＣＩＥＬＡＢ色空間上の色信号Ｌ＊  ａ＊  ｂ＊  に変換する。入力プロファイル格納部２０５は、離散的なＲＧＢ色信号に対応するＬ＊  ａ＊  ｂ＊  色信号を、３次元ルックアップテーブル（以下、ＬＵＴとする）として格納する。入力プロファイル変換部２０１は、入力色信号ＲＧＢをその３次元ＬＵＴを用いた公知の方法によってＣＩＥＬＡＢ色空間上の色信号Ｌ＊  ａ＊  ｂ＊  に変換する。
【００１６】
カラーマッピング部２０２は、入力色信号Ｌａｂを画像出力装置で再現可能な色信号Ｌ’ａ’ｂ’へ変換する。これにより、画像入力装置と画像出力装置との色再現範囲が異なる場合には、カラーマッピング部２０２でその違いを吸収することができる。また、画像入力装置と画像出力装置との色再現範囲が等しい場合には、入力色信号がそのまま出力される。
【００１７】
出力プロファイル変換部２０３は、出力プロファイル格納部２０６に格納された画像出力装置の色再現特性を示すプロファイルに基づいて入力色信号Ｌ’ａ’ｂ’を画像出力装置に依存した色信号Ｒ’Ｇ’Ｂ’に変換する。ここで出力プロファイル格納部２０６は、典型的には、離散的なＲ’Ｇ’Ｂ’色信号に対応するＬ’ａ’ｂ’色信号を３次元ＬＵＴとして格納する。そして、出力プロファイル変換部２０３は、その３次元ＬＵＴから入力色信号Ｌ’ａ’ｂ’近傍のデータを検索し、検索したデータと入力色信号とから公知の補間方法を用いて出力色信号Ｒ’Ｇ’Ｂ’を求める。
【００１８】
色分解変換部２０４は、色分解ＬＵＴ格納部２０７に格納する色分解ＬＵＴを用いた公知の方法により、入力色信号Ｒ’Ｇ’Ｂ’を出力色信号ＣＭＹＫに変換する。そして、入力画像データに対応する印刷画像は、不図示の画像出力装置がＣＭＹＫ色信号に基づいて画像形成を行うことによって得られる。
【００１９】
このように、上述したＣＭＳを利用した画像出力システムにおいて、入力画像データに対応する印刷色は上記入力プロファイル格納部２０５に格納される入力プロファイルによって決定される。第一実施形態の画像処理装置は、ＣＭＳを利用した画像出力システムで白黒画像を印刷する際に、偏りが無くユーザの好みの色味で印刷するための入力プロファイルを作成する。
【００２０】
＜基本構成＞
図３は、第一実施形態における画像処理装置の基本構成を示す図である。図３において、３０１はＣＰＵで、後述するＲＡＭやＲＯＭに格納されたプログラムやデータを用いて本装置全体の制御を行うと共に、後述する各画像処理も行う。３０２はＲＡＭで、後述する外部記憶装置や記録媒体ドライブからロードされたプログラムやデータ、処理中の各種データを一時的に記憶するエリアを備えると共に、ＣＰＵ３０１が各処理を実行する際に用いられるワークエリアも備える。３０３はＲＯＭで、本装置全体の制御を行うためのプログラムや制御データなどが格納されている。
【００２１】
３０４は操作部で、キーボードやマウスなどのポインティングデバイスにより構成されており、後述するグレイの色味調整指示や出力プロファイルの指定などを本装置に対して入力することができる。３０５は表示部で、ＣＲＴや液晶画面などにより構成されており、後述する各種調整ユーザインターフェース（ＵＩ）や画像、文字を表示する。３０６は外部記憶装置で、オペレーティングシステム（ＯＳ）、各種画像処理を行うための画像処理プログラム３０７及びパラメータ３０８を保存する。３０９は記録媒体ドライブで、記録媒体から画像を含む各種データを読み取り、外部記憶装置３０６やＲＡＭ３０２に出力する。また、作成したプロファイルの保存を行う。３１０は上述の各部を接続するバスである。
【００２２】
＜機能構成＞
図４は、第一実施形態における画像処理装置の機能構成を示す図である。図４に示すように、機能構成として、色信号生成部４０１、階調特性変換部４０２、色味変換Ａ部４０３、色味変換Ｂ部４０４、フォーマット部４０５、プロファイル取得部４０６、色味調整値設定部４０７、階調特性保持部４０８、色味変換テーブル保持部４０９、及び色度ラインテーブル保持部４１０によって構成されている。
【００２３】
この構成において、色信号生成部４０１は、離散的な白黒信号ＧＬを生成する。階調特性変換部４０２は、階調特性保持部４０８に格納された階調特性に基づいて白黒信号ＧＬを、その白黒信号ＧＬを画像出力装置で出力した時に得られる印刷画像の明度Ｌ＊  に変換する。
【００２４】
図５は、階調特性保持部４０８に格納される階調特性の一例を示す図である。この階調特性は、離散的な白黒信号ＧＬに関する明度Ｌ＊  の対応表であり、印刷画像の明るさに関係する。ここで、任意の白黒信号ＧＬに対応する明度Ｌ＊  は、この階調特性に基づいて公知の補間演算によって求められる。
【００２５】
図６は、白黒信号ＧＬと明度Ｌ＊  との対応関係の一例を示す図である。図６において、白黒信号ＧＬは８ビットの信号である。Ｌｍａｘは、一般に白黒信号ＧＬの最大値（以下白信号）ＧＬ＝２５５に対応する明度Ｌ＊  であり、Ｌｍｉｎは、白黒信号ＧＬの最小値（以下黒信号）ＧＬ＝０に対応する明度Ｌ＊  である。また、Ｌｍａｘ及びＬｍｉｎの値は、後述するプロファイル取得部４０６で取得される。そして、０＜ＧＬかつＧＬ＜２５５である白黒信号ＧＬに対応する明度Ｌ＊  は、好適には、Ｌｍａｘ及びＬｍｉｎの値と好ましい階調特性に基づいて決定される。
【００２６】
色味変換Ａ部４０３は、色味変換テーブル保持部４０９に格納された色味変換テーブルに基づいて入力信号である明度Ｌ＊  を後述する色度空間上の距離信号ｌに変換する。
【００２７】
図７は、色味変換テーブル保持部４０９に格納される色味変換テーブルの一例を示す図である。この色味変換テーブルは、離散的な明度Ｌ＊  に関する距離信号ｌの対応表であり、印刷画像の色味に関係する。任意の明度Ｌ＊  に対応する距離信号ｌは、この色味変換テーブルに基づいて公知の補間演算によって求められる。
【００２８】
ここで、図８を用いて、距離信号ｌと作成するプロファイルにおける白黒信号の色度点軌跡（グレイライン）について詳細に説明する。
【００２９】
図８は、ＣＩＥＬＡＢ色空間のａ＊  ｂ＊  色度平面に投影された色度点軌跡を模式的に示す図である。図８において、点Ｗは白信号に対応した印刷色（白色印刷色）の色度点であり、点Ｋは黒信号に対応した印刷色（黒色印刷色）の色度点である。また、白色印刷色の色度点（点Ｗ）と黒色印刷色の色度点（点Ｋ）は、後述するプロファイル取得部４０６において取得される。そして、点Ｇは後述する色味調整値設定部４０７において調整指示される中間明度の色度点（グレイ色度点）である。
【００３０】
図８に示すように、グレイラインが調整指示されたグレイ色度点（点Ｇ）を通るようにプロファイルを作成することにより、利用者の意図に基づく色味の白黒印刷画像を得ることを可能とする。
【００３１】
この距離信号ｌは、図８において、点Ｗを起点とした時の上記グレイラインに沿った距離であり、グレイライン上の色度点に対応する信号値である。例えば、点Ｇに対応する距離信号ｌｇは、グレイラインに沿ったＷ−Ｇの距離であり、点Ｋに対応する距離信号ｌｋは、距離信号ｌｇとグレイラインに沿ったＧ−Ｋの距離との和である。また、点Ｗに対応する距離信号は０である。
【００３２】
次に、図９を用いて、図４に示した色味変換Ａ部４０３における色味変換処理の詳細を説明する。
【００３３】
図９は、図７に示した色味変換テーブルを構成する明度Ｌ＊  と距離信号ｌとの対応関係の一例を示す図である。図９において、明度Ｌｍｉｎは黒色印刷色の明度である。その黒色印刷色の色度点は図８に示した点Ｋであり、明度Ｌｍｉｎに対応する距離信号ｌは、上述の例では、距離信号ｌｋとなる。また、明度Ｌｍａｘは白色印刷色の明度である。その白色印刷色の色度点は図８に示した点Ｗであり、明度Ｌｍａｘに対応する距離信号ｌは、上述したように０である。また、中間明度部（図９においてＬ１＜Ｌ＊  かつＬ＊  ＜Ｌ２を満たすＬ＊  ）に対応する距離信号ｌは、図８に示した色度点Ｇに対応する距離信号ｌｇとする。第一実施形態では、中間明度部の色度点を調整指示されたグレイ色度点（図８に示した点Ｇ）となるようにプロファイルを作成することで、利用者の意図に基づく色味の白黒印刷画像を得ることを可能とする。
【００３４】
更に、図９を用いて、ハイライト部及びシャドウ部における色味変化の抑制について説明する。図９において、上述の中間明度部の明度範囲が広い場合、即ちＬ２−Ｌ１が大きい場合には、ハイライトとシャドウを除く入力白黒信号のほとんどが調整指示された色度点（図８に示した点Ｇ）で再現される。しかしながら、この場合、白色印刷色近傍の高明度部及び黒色印刷色近傍の低明度部において、明度に関する距離信号ｌの変化率、即ち色度点の変化率が大きいため、グラデーション画像等で色味変化が観察される。
【００３５】
第一実施形態は、色度点の変化率を後述する色味調整値設定部４０７において調整指示することで、例えば同図におけるΦ及びθ（それぞれ高明度部と低明度部において色味変換テーブルが示すラインとＬ＊  軸に平行な直線とのなす角度）を適切に設定し、印刷画像の色味変化を抑制するようなプロファイルを作成するものである。
【００３６】
図４に示した色味変換Ｂ部４０４は、色度ラインテーブル保持部４１０に格納された色度ラインテーブルに基づいて入力信号である距離信号ｌをＣＩＥＬＡＢ色空間の色度座標信号（ａ＊  ，ｂ＊  ）に変換する。
【００３７】
図１０は、色度ラインテーブル保持部４１０に格納される色度ラインテーブルの一例を示す図である。この色度ラインテーブルは、図８に示したグレイラインにおける距離信号ｌと色度座標ａ＊  ，ｂ＊  との対応関係を離散的な距離信号ｌに関して抽出したものである。そして、任意の距離信号ｌに対応する色度座標信号（ａ＊  ，ｂ＊  ）は、この色度ラインテーブルに基づいて公知の補間演算によって求めるものとする。
【００３８】
次に、フォーマット部４０５が入力Ｌ＊  ａ＊  ｂ＊  信号を規定のフォーマットに変換し、プロファイルを作成する。このプロファイルは、３次元ＬＵＴ（離散的なＲＧＢ色信号に対応するＬ＊  ａ＊  ｂ＊  色信号）と各種ヘッダ情報とで構成されている。３次元ＬＵＴには、各色信号の値が等しい（Ｒ＝Ｇ＝Ｂ）ＲＧＢ色信号の場合、色信号生成部４０１が対応する白黒色信号（ＧＬ＝Ｒ＝Ｇ＝Ｂ）を生成した際の階調特性変換部４０２と色味変換Ｂ部４０４との出力に基づくＬ＊  ａ＊  ｂ＊  色信号が格納され、それ以外のＲＧＢ色信号の場合はダミーのＬ＊  ａ＊  ｂ＊  色信号が格納される。
【００３９】
次に、プロファイル取得部４０６は、画像出力装置の出力プロファイルを取得し、その画像出力装置及び画像記録媒体（印刷用紙）に依存する白色印刷色及び黒色印刷色のＬ＊  ａ＊  ｂ＊  色信号を取得する。ここで取得された白色印刷色及び黒色印刷色のＬ＊  ａ＊  ｂ＊  色信号は、階調特性保持部４０８と後述する色味調整値設定部４０７で利用される。
【００４０】
上述した色味調整値設定部４０７は、プロファイル取得部４０６で取得された白色印刷色及び黒色印刷色の色度点と、後述するＵＩを用いて設定するグレイ色度点（図８に示した点Ｇ）及び色度点の変化率（図９に示したΦ及びθに関する値）とに基づいて色味変換テーブル保持部４０９に格納される色味変換テーブル及び色度ラインテーブル保持部４１０に格納される色度ラインテーブルを設定する。
【００４１】
第一実施形態は、グレイ色度点と色度点の変化率を設定する手段を有することで、利用者の意図に基づく色味の白黒印刷画像を得るためのプロファイルを作成できる。
【００４２】
＜ＵＩ＞
図１１、図１２は、第一実施形態における色味調整値設定ユーザインターフェース（ＵＩ）の一例を示す図である。図１１は、グレイ色度点を設定するためのＵＩの一例を示す図である。図１１に示すように、ＣＩＥＬＡＢ色空間のａ＊  値を設定するためのテキストボックス１１０１、同じくｂ＊  値を設定するためのテキストボックス１１０２、ＯＫボタン１１０３、キャンセルボタン１１０４からなる。また、テキストボックス１１０１、１１０２には、図８に示した点Ｇに相当するグレイ色度点のａ＊  ，ｂ＊  値が入力される。そして、ＯＫボタン１１０３が選択されると、入力された色度点が設定され、対応する色度ラインテーブル及び色味変換テーブルがそれぞれ色度ラインテーブル保持部４１０及び色味変換テーブル保持部４０９に格納される。また、キャンセルボタン１１０４が選択されると、設定はキャンセルされ、色度ラインテーブル及び色味変換テーブルは更新されない。
【００４３】
図１２は、色度点の変化率を設定するためのＵＩの一例を示す図である。図１２に示すように、ハイライト部の色度変化率を設定するためのテキストボックス１２０１、シャドウ部の色度変化率を設定するためのテキストボックス１２０２、ＯＫボタン１２０３、キャンセルボタン１２０４からなる。また、テキストボックスには、上述の距離信号ｌの単位明度（Ｌ＊  ）あたりの変化率が入力される。即ち、テキストボックス１２０１に入力される値をＨ＿ｉｎ、テキストボックス１２０２に入力される値をＳ＿ｉｎとすると、図９に示したΦ及びθと、Ｈ＿ｉｎ及びＳ＿ｉｎには、以下の関係がある。
【００４４】
Φ＝ｔａｎ−１（Ｓ＿ｉｎ）
θ＝ｔａｎ−１（Ｈ＿ｉｎ）。
【００４５】
次に、ＯＫボタン１２０３が選択されると、上記の式に基づき、入力された値に対応するΦ及びθが設定され、対応する色味変換テーブルが色味変換テーブル保持部４０９に格納される。また、キャンセルボタン１２０４が選択されると、設定はキャンセルされ、色味変換テーブルは更新されない。
【００４６】
＜画像処理手順＞
図１３は、第一実施形態におけるプロファイル作成手順を示すフローチャートである。このプロファイル作成処理は、以下の手順で行われる。
【００４７】
まず、ステップＳ１３０１で出力プロファイルを設定する。出力プロファイルの設定では、画像出力装置の出力プロファイルを取得し、その画像出力装置及び画像記録媒体（印刷用紙）に依存する白色印刷色及び黒色印刷色のＬ＊  ａ＊  ｂ＊  色信号を取得する。更に、取得した白色印刷色及び黒色印刷色のＬ＊  値に基づき対応する階調特性を上述の階調特性保持部４０８に格納する。次に、ステップＳ１３０２において、色味調整値の設定を行う。この色味調整値の設定では、画像出力装置及び画像記録媒体（印刷用紙等）と、上述の色味調整値設定部４０７によって設定されたグレイ色度点及び色度点の変化率とに応じて、対応する色味変換テーブル及び色度ラインテーブルを、それぞれ上述の色味変換テーブル保持部４０９及び色度ラインテーブル保持部４１０に格納する。
【００４８】
次に、ステップＳ１３０３において、上述の色信号生成部４０１がプロファイルに格納する３次元ＬＵＴを構成する離散的な白黒信号ＧＬを生成する。次に、ステップＳ１３０４において、上述の階調特性変換部４０２がその白黒信号ＧＬを明度Ｌ＊  に変換する。そして、ステップＳ１３０５において、上述の色味変換Ａ部４０３がその明度Ｌ＊  を距離関数ｌに変換する。次に、ステップＳ１３０６において、上述の色味変換Ｂ部４０４がその距離関数ｌをＣＩＥＬＡＢ色空間の色度座標信号（ａ＊  ，ｂ＊  ）に変換する。
【００４９】
次に、ステップＳ１３０７において、プロファイルの３次元ＬＵＴを構成する全ての白黒信号の処理が終了したか否かを判断し、全信号の処理が終了していなければステップＳ１３０３に戻り、上述した処理を繰り返す。また、ステップＳ１３０７において、全信号の処理が終了するとステップＳ１３０８へ進み、上述のフォーマット部４０５がステップＳ１３０６で得られた色度座標信号（ａ＊  ，ｂ＊  ）とステップＳ１３０４で得られた明度Ｌ＊  とから３次元ＬＵＴを構築し、プロファイルを作成する。
【００５０】
以上説明したように、第一実施形態によれば、カラーマネージメントシステム（以下ＣＭＳとする）を利用した印刷において、白黒画像の色味を好ましく且つ色味変化の無いように印刷するためのプロファイルを簡易に作成することが可能となる。具体的には、グレイ色度点と色度点の変化率とを設定する手段を有し、設定された値に基づいてグレイラインを決定し、プロファイルを作成する。このプロファイルを使用することにより、利用者の意図に基づく色味の白黒印刷画像を得ることが可能となる。
【００５１】
［第二実施形態］
次に、図面を参照しながら本発明に係る第二実施形態を詳細に説明する。
【００５２】
第二実施形態の画像処理装置は、白黒画像データを、指定した画像出力装置で印刷する際に、色が偏らず好みの色味で印刷できるカラー画像データに変換するものである。尚、第二実施形態における画像処理装置の基本構成は、図３を用いて説明した第一実施形態と同様であり、その説明は省略する。
【００５３】
＜機能構成＞
図１４は、第二実施形態における画像処理装置の機能構成を示す図である。図１４に示すように、機能構成として、階調特性変換部１４０１、色味変換Ａ部１４０２、色味変換Ｂ部１４０３、出力プロファイル変換部１４０４、色味調整値設定部１４０５、プロファイル取得部１４０６、階調特性保持部１４０７、色味変換テーブル保持部１４０８、色度ラインテーブル保持部１４０９、及び出力プロファイル保持部１４１０によって構成されている。
【００５４】
この構成において、入力白黒画像を構成する白黒信号ＧＬが、階調特性変換部１４０１、色味変換Ａ部１４０２、色味変換Ｂ部１４０３、及び出力プロファイル変換部１４０４により、指定された画像出力装置で印刷する際に、色が偏らず好みの色味で印刷するためのＲＧＢ色信号へと変換される。尚、上述の構成要素のうち、出力プロファイル変換部１４０４、プロファイル取得部１４０６、及び出力プロファイル保持部１４１０以外は、図４を用いて説明した第一実施形態の同名の構成要素と同じ機能を有するため、その説明は省略する。
【００５５】
まず、出力プロファイル変換部１４０４は、出力プロファイル保持部１４１０に格納された出力プロファイルに基づいて入力Ｌ＊  ａ＊  ｂ＊  色信号を指定された画像出力装置に依存したＲＧＢ色信号に変換する。この入力Ｌ＊  ａ＊  ｂ＊  色信号は、第一実施形態で説明したように、好ましい色味で且つ色味変化が目立た無いように調整されている。そのため、ＲＧＢ色信号で構成される画像データはその画像出力装置で好ましい色味で且つ色味変化の目立た無い画像で印刷することができる。尚、出力プロファイル保持部１４１０に格納される出力プロファイルは、画像出力装置の色再現特性を示し、プロファイル取得部１４０６によって取得される。
【００５６】
図１５は、出力プロファイル保持部１４１０に格納される出力プロファイルの一例を示す図である。この出力プロフィルは、離散的なＲＧＢ色信号に関する印刷色（ＣＩＥＬＡＢ値）の対応表、所謂「３次元ルックアップテーブル（ＬＵＴ）」である。そして、出力プロファイル変換部１４０４は、この３次元ＬＵＴから入力信号Ｌ＊  ａ＊  ｂ＊  近傍のデータを検索し、検索したデータと入力信号とから公知の補間方法を用いて出力色信号ＲＧＢを求める。
【００５７】
プロファイル取得部１４０６は、指定した画像出力装置の出力プロファイルを取得する。この出力プロファイルは、３次元ＬＵＴを構成する離散的なＲＧＢ色信号の色票画像を画像出力装置で印刷し、これを測色することで得られる。
【００５８】
図１６は、第二実施形態における色票画像の一例を示す図である。色票画像は、例えば｛Ｒ、Ｇ、Ｂ｝＝｛０，０，０｝、｛０，０，１６｝、．．、｛０，０，２５５｝、｛０，１６，０｝、｛０，１６，１６｝、…、｛２５５，２５５，２５５｝の各色信号の色票で構成される。そして、取得されたプロファイルは、出力プロファイル保持部１４１０に格納され、更に、白色印刷色及び黒色印刷色のＬ＊  ａ＊  ｂ＊  色信号（それぞれ｛Ｒ、Ｇ、Ｂ｝＝｛２５５，２５５，２５５｝、｛０，０，０｝の測色値）は、階調特性保持部１４０７と色味調整値設定部１４０５で利用される。
【００５９】
＜画像処理手順＞
図１７は、第二実施形態における画像処理手順を示すフローチャートである。この画像処理は、以下の手順で行われる。
【００６０】
まず、ステップＳ１７０１で初期設定を行う。初期設定では、指定された画像出力装置及び画像記録媒体（印刷用紙等）に応じて、対応する出力プロファイルを、上述の出力プロファイル保持部１４１０に格納する。また、入力白黒画像を設定する。次に、ステップＳ１７０２において、色味調整値の設定を行う。この色味調整値の設定では、画像出力装置及び画像記録媒体（印刷用紙等）と、上述の色味調整値設定部１４０５によって設定されたグレイ色度点及び色度点の変化率とに応じて、対応する色味変換テーブル及び色度ラインテーブルを、それぞれ上述の色味変換テーブル保持部１４０８及び色度ラインテーブル保持部１４０９に格納する。
【００６１】
次に、ステップＳ１７０３において、上述の階調特性変換部１４０１が入力白黒画像を構成する白黒信号ＧＬを明度Ｌ＊  に変換する。そして、ステップＳ１７０４において、上述の色味変換Ａ部１４０２がその明度Ｌ＊  を距離関数ｌに変換する。次に、ステップＳ１７０５において、上述の色味変換Ｂ部１４０３がその距離関数ｌをＣＩＥＬＡＢ色空間の色度座標信号（ａ＊  ，ｂ＊  ）に変換する。そして、ステップＳ１７０６において、上述の出力プロファイル変換部１４０４がその色度座標信号（ａ＊  ，ｂ＊  ）とステップＳ１７０３で得られた明度Ｌ＊  とから画像出力装置に依存した色信号ＲＧＢを求める。
【００６２】
次に、ステップＳ１７０７において、入力白黒画像を構成する全ての白黒信号の処理が終了したか否かを判断し、全信号の処理が終了していなければステップＳ１７０３に戻り、上述した画像処理を繰り返す。また、全ての白黒信号の処理が終了したならば、この画像処理を終了する。
【００６３】
以上説明したように、第二実施形態によれば、白黒画像データを、画像出力装置で印刷する際に、色が偏らず好みの色味で印刷できるカラー画像データに変換することが可能となる。
【００６４】
［第一及び第二実施形態の変形例］
前述した第一及び第二実施形態では、色味変換Ａ部（図４の４０３、図１４の１４０２）は、階調特性変換部（図４の４０２、図１４の１４０１）で変換された明度Ｌ＊  をグレイライン上の距離信号ｌに変換しているが、明度Ｌ＊  を介さずに白黒信号ＧＬを距離信号ｌに変換するように構成しても良い。
【００６５】
図１８は、第一及び第二実施形態の変形例における画像処理装置の機能構成の一部を示す図である。尚、図１８では、階調特性変換部１８０１、色味変換Ａ部１８０２及び色味変換Ｂ部１８０３以外の機能構成は不図示であるが、第一及び第二実施形態と同様である。
【００６６】
この変形例における色味変換Ａ部１８０２が、入力された白黒画像を構成する白黒信号ＧＬを距離信号ｌに変換する。この変換処理は、離散的な白黒信号ＧＬに関する距離信号ｌの対応表であるテーブルに基づいて第一及び第二実施形態と同様に変換するものである。
【００６７】
［第三実施形態］
次に、図面を参照しながら本発明に係る第三実施形態を詳細に説明する。
【００６８】
第三実施形態の画像処理装置は、入力白黒画像を構成する色信号を、接続された画像出力装置の色信号へ変換する画像処理装置であって、白黒画像を該画像出力装置で印刷する際に、色が偏らず好みの色味で印刷できる色信号に変換するものである。
【００６９】
＜周辺機器との構成＞
図１９は、第三実施形態における画像処理装置とその周辺機器との構成を示す図である。図１９に示すように、画像処理装置１９００は、画像入力部１９１０、画像処理部１９２０、画像出力部１９３０からなる。この構成において、画像記録媒体１９０１から読み込んだ白黒画像データを画像入力部１９１０を介して入力し、画像処理部１９２０が画像出力装置１９０２の色信号へと変換し、画像出力部１９３０から画像出力装置１９０２へ出力する。画像出力装置１９０２は、典型的には、Ｃ，Ｍ，Ｙ，Ｋの４色のインクやトナーによって紙面上に画像を形成するカラープリンタである。
【００７０】
＜基本構成＞
図２０は、第三実施形態における画像処理装置１９００の基本構成を示す図である。図２０において、２００１はＣＰＵで、後述するＲＡＭやＲＯＭに格納されたプログラムやデータを用いて本装置全体の制御を行うと共に、後述の各画像処理も行う。２００２はＲＡＭで、後述する外部記憶装置や記録媒体ドライブからロードされたプログラムやデータ、処理中の各種のデータを一時的に記憶するエリアを備えると共に、ＣＰＵ２００１が各処理を実行する際に用いられるワークエリアも備える。２００３はＲＯＭで、本装置全体の制御を行うためのプログラムや制御データなどが格納されている。
【００７１】
２００４は操作部で、キーボードやマウスなどのポインティングデバイスにより構成されており、画像出力装置１９０２及び画像記録媒体（印刷紙等）の色特性パラメータや後述するグレイの色味調整指示を本装置に対して入力することができる。２００５は表示部で、ＣＲＴや液晶画面などにより構成されており、後述する各種調整ユーザインターフェース（ＵＩ）や画像、文字を表示する。２００６はインターフェース（Ｉ／Ｆ）部で、画像出力装置１９０２と接続し、画像出力装置１９０２に対してデータを出力するために用いられる。２００７は外部記憶装置で、オペレーティングシステム（ＯＳ）、後述する各種画像処理を行うための画像処理プログラム２００８及びパラメータ２００９を保存する。典型的には、画像処理プログラム２００８には、画像出力装置１０２の制御プログラムが含まれている。２０１０は記録媒体ドライブで、画像記録媒体１９０１から画像を含む各種データを読み取り、外部記憶装置２００７やＲＡＭ２００２に出力する。２０１１は上述の各部を接続するバスである。
【００７２】
＜機能構成＞
図２１は、図１９に示す画像処理部１９２０の機能構成を示す図である。図２１に示すように、画像処理部１９２０は、階調特性変換部２１０１、色味変換Ａ部２１０２、色味変換Ｂ部２１０３、出力プロファイル変換部２１０４、色分解変換部２１０５、及び色味調整値設定部２１０６によって構成され、入力された白黒画像を構成する白黒信号ＧＬを画像出力装置１９０２の入力色信号ＣＭＹＫへ変換する。以下、各部の処理に関して詳細に説明する。
【００７３】
まず、階調特性変換部２１０１は、階調特性保持部２１０７に格納された階調特性に基づいて入力された白黒画像を構成する白黒信号ＧＬを、白黒信号ＧＬを画像出力装置１９０２で出力した時に得られる印刷画像の明度Ｌ＊  に変換する。尚、この階調特性保持部２１０７に格納される階調特性は、第一実施形態で説明した図５と同様であり、また白黒信号ＧＬと明度Ｌ＊  の対応関係も図６と同様であり、その説明は省略する。
【００７４】
次に、色味変換Ａ部２１０２は、色味変換テーブル保持部２１０８に格納された色味変換テーブルに基づいて入力信号である明度Ｌ＊  を色度空間上の距離信号ｌに変換する。尚、この色味変換テーブル保持部２１０８に格納される色味変換テーブルは該色味変換テーブルは、第一実施形態で説明した図７と同様であり、また距離信号ｌと色度点奇跡（グレイライン）、例えばＣＩＥＬＡＢ色空間のａ＊  ｂ＊  色度平面に投影された色度点軌跡、及び色味変換テーブルを構成する明度Ｌ＊  と距離信号ｌとの対応関係も図８及び図９と同様であり、その説明は省略する。
【００７５】
次に、色味変換Ｂ部２１０３は、色度ラインテーブル保持部２１０９に格納された色度ラインテーブルに基づいて入力信号である距離信号ｌをＣＩＥＬＡＢ色空間の色度座標信号（ａ＊  ，ｂ＊  ）に変換する。尚、この色度ラインテーブル保持部２１０９に格納される色度ラインテーブルも第一実施形態で説明した図１０と同様であり、その説明は省略する。
【００７６】
次に、出力プロファイル変換部２１０４は、出力プロファイル保持部２１１０に格納された出力プロファイルに基づいて入力Ｌ＊  ａ＊  ｂ＊  信号を画像出力装置１９０２に依存した色信号ＲＧＢに変換する。
【００７７】
図２２は、出力プロファイル保持部２１１０に格納される出力プロファイルの一例を示す図である。この出力プロファイルは、離散的なＲＧＢ色信号に関する印刷色（ＣＩＥＬＡＢ値）の対応表、所謂「３次元ルックアップテーブル（ＬＵＴ）」であり、画像出力装置１９０２及び画像記録媒体（印刷用紙等）の色再現特性に関係する。出力プロファイル変換部２１０４は、この３次元ＬＵＴから入力信号Ｌ＊  ａ＊  ｂ＊  の近傍のデータを検索し、検索したデータと入力信号とから公知の補間方法を用いて出力色信号ＲＧＢを求める。
【００７８】
次に、色分解変換部２１０５は、色分解ＬＵＴ保持部２１１１に格納された色分解ＬＵＴに基づいて入力ＲＧＢ色信号を画像出力装置１９０２の色信号ＣＭＹＫに変換する。
【００７９】
図２３は、色分解ＬＵＴ保持部２１１１に格納される色分解ＬＵＴの一例を示す図である。この色分解ＬＵＴは、離散的なＲＧＢ色信号に関するＣＭＹＫ信号の対応表であり、画像出力装置１９０２及び画像記録媒体（印刷用紙等）の色再現特性に関係する。また、色分解変換部２１０５は、この色分解ＬＵＴを用いた公知の方法によって入力色信号ＲＧＢを出力色信号ＣＭＹＫに変換する。
【００８０】
次に、色味調整値設定部２１０６は、色味調整値設定ユーザインターフェース（ＵＩ）により、グレイ色度点（図８に示した点Ｇ）及び色度点の変化率（図９に示したφ及びθに関する値）を設定し、色味変換テーブル保持部２１０８に格納される色味変換テーブル及び色度ラインテーブル保持部２１０９に格納される色度ラインテーブルを設定する。尚、この色味調整値設定ユーザインタフェース（ＵＩ）は、第一実施形態で説明した図１１及び図１２と同様であり、その説明は省略する。
【００８１】
このように、第三実施形態でも、グレイ色度点と色度点の変化率とを設定することで、利用者の意図に基づく色味の白黒印刷画像を得ることが可能となる。
【００８２】
＜画像処理手順＞
図２４は、第三実施形態における画像処理手順を示すフローチャートである。この画像処理は、以下の手順で行われる。
【００８３】
まず、ステップＳ２４０１で初期設定を行う。この初期設定は、画像出力装置１９０２及び画像記録媒体（印刷用紙等）に応じて、対応する出力プロファイル及び色分解ＬＵＴをそれぞれ出力プロファイル保持部２１１０及び色分解ＬＵＴ保持部２１１１に格納する。またデフォルトの階調特性又は指定された階調特性を階調特性保持部２１０７に格納する。更に入力白黒画像を設定する。
【００８４】
次に、ステップＳ２４０２において、色味調整値の設定を行う。この色味調整値の設定は、画像出力装置１９０２及び画像記録媒体（印刷用紙等）と、上述の色味調整値設定部２１０６によって設定されたグレイ色度点及び色度点の変化率とに応じて、対応する色味変換テーブル及び色度ラインテーブルを、それぞれ上述の色味変換テーブル保持部２１０８及び色度ラインテーブル保持部２１０９に格納する。
【００８５】
次に、ステップＳ２４０３において、上述の階調特性変換部２１０１が入力された白黒画像を構成する白黒信号ＧＬを明度Ｌ＊  に変換する。次に、ステップＳ２４０４において、上述の色味変換Ａ部２１０２が、前段で得られた明度Ｌ＊  を距離関数ｌに変換する。次に、ステップＳ２４０５において、上述の色味変換Ｂ部２１０３が、前段で得られた距離関数ｌをＣＩＥＬＡＢ色空間の色度座標信号（ａ＊  ，ｂ＊  ）に変換する。
【００８６】
次に、ステップＳ２４０６において、出力プロファイル変換部２１０４が、前段で得られた色度座標信号（ａ＊  ，ｂ＊  ）とステップＳ２４０３で得られた明度Ｌ＊  とから画像出力装置１９０２に依存した色信号ＲＧＢを求める。次に、ステップＳ２４０７において、上述の色分解変換部２１０５が、前段で得られた色信号ＲＧＢを画像出力装置１９０２への出力色信号ＣＭＹＫに変換し、出力する。そして、ステップ２４０８において、入力白黒画像を構成する全ての白黒信号の処理が終了したか否かを判断し、全信号の処理が終了していなければステップＳ２４０３に戻り、上述した処理を繰り返す。
【００８７】
以上説明したように、第三実施形態によれば、白黒画像の色味を簡易に且つ色味変化の無いように調整することが可能である。具体的には、グレイ色度点と色度点の変化率を設定する手段を有し、設定された値に基づいてグレイラインを設定する。その結果、利用者の意図に基づく色味の白黒印刷画像を得ることができる。
【００８８】
［ＵＩの変形例］
次に、第一乃至第三実施形態における色味調整値設定ユーザインターフェース（ＵＩ）の変形例について説明する。
【００８９】
図１１及び図１２を用いて説明した色味調整値設定ユーザインターフェース（ＵＩ）は調整の自由度が大きいため、誤って使用すると所望の画像が得られないどころか受け入れがたい結果を招くことも少なくない。そこで、ＵＩの変形例として、白黒画像の色味の調整において、利用者の意思に反した過剰な処理を予防するように構成する例を説明する。尚、基本構成、機能構成、画像処理手順は、前述した第三実施形態と同様であり、その説明は省略する。
【００９０】
図２５は、変形例におけるグレイ色度点を設定するＵＩの一例を示す図である。図２５に示すように、８つの色味設定ボタン２５０１〜２５０８、グレイ設定マップ２５０９、ＯＫボタン２５１０、キャンセルボタン２５１１で構成されている。ここで、グレイ設定マップ２５０９は、ＣＩＥＬＡＢ色空間のａ＊  、ｂ＊  平面に対応した升目画像で、現在のグレイ色度点のａ＊  、ｂ＊  に対応する位置の升目Ａが黒塗りで示されている。また、水平方向がａ＊  軸に、垂直方向がｂ＊  軸に対応しており、黒塗りの升目が右に行くほど赤味が強くなり、上に行くほど黄色味が強くなり、左に行くほど緑味が強くなり、下に行くほど青味が強くなる。
【００９１】
また、色味設定ボタン２５０１を選択すると、黒塗りの升目の位置は右方向に移動し、赤味が増すように設定される。同様に、黒塗りの升目の位置は色味設定ボタン２５０２を選択すると右上方向に、色味設定ボタン２５０３を選択すると上方向に、色味設定ボタン２５０４を選択すると左上方向に、色味設定ボタン２５０５を選択すると左方向に、色味設定ボタン２５０６を選択すると左下方向に、色味設定ボタン２５０７を選択すると下方向に、そして色味設定ボタン１５０８を選択すると右下方向にそれぞれ移動し、グレイ色度点（図８に示した点Ｇ）が移動先の位置に対応する色に設定される。そして、設定範囲を限定することで過剰な色味に設定されることを予防している。
【００９２】
また、グレイ設定マップ２５０９において、設定範囲外の領域は色付けされて設定範囲と区別される。また、色味設定ボタンによって設定範囲外に移動しようとした場合、警告音を鳴らし移動は行われない。ここで、ＯＫボタン２５１０が選択されると、入力された色度点が設定され、対応する色度ラインテーブル及び色味変換テーブルがそれぞれ色度ラインテーブル保持部２１０９及び色味変換テーブル保持部２１０８に格納される。また、キャンセルボタン２５１１が選択されると設定はキャンセルされ、色度ラインテーブ及び色味変換テーブルは更新されない。この設定範囲は、各設定値に対応した出力画像の主観評価に応じて決定される。例えば、設定値を適当なステップで変化させて画像を出力し、その画像を主観評価したとき、半数以上の人が「許容できる」と回答した画像に対応する設定値の範囲を設定範囲とする。
【００９３】
図２６は、変形例における色度点の変化率を設定するＵＩの一例を示す図である。図２６に示すように、ハイライト部の色度変化率を設定するためのスライドバー２６０１、シャドウ部の色度変化率を設定するためのスライドバー２６０２、ＯＫボタン２６０３、キャンセルボタン２６０４で構成されている。そして、各スライドバーを移動させることにより、図９に示したφ及びθの値を増加又は減少させ、色度点の変化率が設定される。例えば、ハイライト部の色度変化率を設定するためのスライドバー２６０１を右に移動させるとφが大きくなり、左に移動させるとφが小さくなる。このとき、設定範囲を限定することで過剰な色味に設定されることを予防できる。図２６に示す例では、ハイライト部の色度変化率を設定するためのスライドバー２６０１の設定範囲はＢからＣまでに範囲限定されており、また同様にシャドウ部の色度変化率を設定するためのスライドバー２６０２の設定範囲はＤからＥまでに範囲限定されている。
【００９４】
次に、ＯＫボタン２６０３が選択されると、上記のスライドバーの位置に基づいてφ及びθが設定され、対応する色味変換テーブルが色味変換テーブル保持部２１０８に格納される。また、キャンセルボタン２６０４が選択されると設定はキャンセルされ、色味変換テーブルは更新されない。この設定範囲は、各設定値に対応した出力画像の主観評価に応じて決定される。
【００９５】
上述した変形例の構成によれば、白黒画像の色味の設定において、グレイ色度点と色度変化率の設定範囲を制限することで、利用者の意思に反した過剰な処理を予防することが可能となる。
【００９６】
［第三実施形態の変形例］
＜デフォルト値と設定範囲＞
上述したグレイ色度点及び色度点の変化率は、デフォルト値、及び設定範囲を設定できるように構成しても良い。また、デフォルト値、及び設定範囲は、画像記録媒体（印刷用紙等）毎に保持しても良い。この場合、例えば図２１において色味調整値設定部２１０６を、デフォルト値、及び設定範囲が格納できるように構成するものとする。
【００９７】
＜設定値の保存＞
上述したグレイ色度点及び色度点の変化率は、設定値を保存できるように構成しても良い。この場合、例えば図２１において色味調整値設定部２１０６を設定値が保存できるように構成する。また、設定値をリストに登録できるように構成し、そのリストから登録された設定を選択することで、選択された設定に対応する設定値を再利用できるように構成しても良い。
【００９８】
＜色味変換部Ａ＞
上述した色味変換Ａ部２１０２は、明度Ｌ＊  をグレイライン上の距離信号ｌに変換しているが、明度Ｌ＊  を介さずに入力白黒信号ＧＬを距離信号ｌに変換するように構成しても良い。
【００９９】
図２７は、第三実施形態の変形例における画像処理部の機能構成を示す図である。図２７に示すように、この変形例の画像処理部は、階調特性変換部２７０１、色味変換Ａ部２７０２、色味変換部Ｂ部２７０３、出力プロファイル変換部２７０４、色分解変換部２７０５、及び色味調整値設定部２７０６で構成される。そして、入力白黒画像を構成する白黒信号ＧＬを画像出力装置１９０２の入力色信号ＣＭＹＫへ変換する。
【０１００】
この変形例の色味調整値設定部２７０６は、前述したＵＩを用いて、白黒信号ＧＬに関する距離信号ｌの変化率、即ち色度点の変化率を設定し、その変化率に対応する色味変換テーブルを色味変換テーブル保持部２７０８に格納する。また、色味変換Ａ部２７０２は、その色味変換テーブル保持部２７０８に格納された色味変換テーブルに基づいて入力白黒画像を構成する白黒信号ＧＬを距離信号Ｉに変換する。その他の構成要素は、前述した第三実施形態の説明における同名の構成要素と同じ機能を有する。
【０１０１】
第三実施形態の変形例によれば、色味調整を階調変換として独立して行うことが可能となる。
【０１０２】
以上説明したように、第三実施形態及びその変形例によれば、印刷色の色味を簡易に且つ色味が偏らず色味変化が目立たないように調整することが可能となる。
【０１０３】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【０１０４】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【０１０５】
この場合、記録媒体から読出されたプログラムコード自体が前述した実施形態の機能を実現することになり、そのプログラムコードを記憶した記録媒体は本発明を構成することになる。
【０１０６】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１０７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０１０８】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０１０９】
［実施態様］
以下に、本発明の実施態様を示す。
【０１１０】
［実施態様１］  入力された白黒信号を所定の色空間Ａの色信号に変換する画像処理装置の色変換方法であって、
白黒信号をユーザの所望の色味に調整するための色味調整値を設定する設定工程と、
画像出力装置及び記録媒体に依存する色再現特性を取得する取得工程と、
前記取得工程で取得された色再現特性を用いて入力白黒信号を第１の色信号へ変換する第１の変換工程と、
前記設定工程で設定された色味調整値と取得工程で取得された色信号とを用いて入力白黒信号もしくは前記第１の変換工程で変換された色信号を第２の色信号へ変換する第２の変換工程と、
前記第２の変換工程で変換された色信号を第３の色信号へ変換する第３の変換工程と、
前記第３の変換工程で変換された色信号と第１の変換工程で変換された色信号とから、色空間Ａの色信号を構成し、出力する出力工程とを有することを特徴とする画像処理装置の色変換方法。
【０１１１】
［実施態様２］  前記色空間Ａの色信号は、明度と、色相及び彩度の属性に関係する色度点とによって表されることを特徴とする実施態様１に記載の画像処理装置の色変換方法。
【０１１２】
［実施態様３］  前記設定工程では、前記色味調整値として、所定の白黒信号に対応する前記色空間Ａの色度点と、白黒信号に関する色空間Ａの色度点の変化率とを設定することを特徴とする実施態様２に記載の画像処理装置の色変換方法。
【０１１３】
［実施態様４］  前記取得工程では、前記色再現特性として、白及び黒を示す白黒信号に対応する前記色空間Ａの色信号を取得することを特徴とする実施態様３に記載の画像処理装置の色変換方法。
【０１１４】
［実施態様５］  前記設定工程において、所定の白黒信号は、中間明度に対応する白黒信号であり、
色度点の変化率は、ハイライト及びシャドウの白黒色信号に関する色度点の変化率であることを特徴とする実施態様３又は実施態様４に記載の画像処理装置の色変換方法。
【０１１５】
［実施態様６］  前記設定工程において、色度点の変化率は、前記色空間Ａにおいて、前記取得工程で取得された白を示す白黒信号に対応する色度点と、前記設定工程で設定された色度点と、前記取得工程で取得された黒を示す白黒信号に対応する色度点とを結ぶ線分を線分Ｌとするとき、白黒信号に関する該線分Ｌ上の道のりの変化率であることを特徴とする実施態様４又は実施態様５に記載の画像処理装置の色変換方法。
【０１１６】
［実施態様７］  前記第１の変換工程では、入力白黒色信号を、色空間Ａの明度を示す色信号へ変換し、
前記第２の変換工程では、入力白黒色信号もしくは前記第１の変換工程で変換された色信号を、前記線分Ｌ上の道のりを示す色信号に変換し、
前記第３の変換工程では、前記第２の変換工程で変換された色信号を、前記色空間Ａの色度点を示す色信号に変換し、
前記出力工程では、前記第１の変換工程で変換された色空間Ａの明度を示す色信号と、前記第３の変換工程で変換された色空間Ａの色度点を示す色信号とから、色空間Ａの色信号を構成して出力することを特徴とする実施態様６に記載の画像処理装置の色変換方法。
【０１１７】
［実施態様８］  前記色空間Ａは、明度をＬ＊、色度点をａ＊及びｂ＊とによって表すＣＩＥ／Ｌ＊ａ＊ｂ＊色空間であることを特徴とする実施態様７に記載の画像処理装置の色変換方法。
【０１１８】
［実施態様９］  前記設定工程において、前記色度点と色度点の変化率は、所定の範囲内で設定されることを特徴とする実施態様７又は実施態様８に記載の画像処理装置の色変換方法。
【０１１９】
［実施態様１０］  コンピュータに実施態様７乃至実施態様９の何れか一項に記載の画像処理装置の色変換方法を実行させるためのプログラム。
【０１２０】
［実施態様１１］  白黒信号と、所定の色空間Ａの色信号との対応関係を格納したプロファイルを作成するプロファイル作成装置であって、
白黒信号をユーザの所望の色味に調整するための色味調整値を設定する設定手段と、
画像出力装置及び記録媒体に依存する色再現特性を取得する取得手段と、
離散的な白黒信号を生成する生成手段と、
前記取得手段で取得された色再現特性を用いて生成手段で生成された白黒信号を第１の色信号へ変換する第１の変換手段と、
前記設定手段で設定された色味調整値と取得手段で取得された色信号とを用いて前記生成手段で生成された白黒信号もしくは第１の変換手段で変換された色信号を第２の色信号へ変換する第２の変換手段と、
前記第２の変換手段で変換された色信号を第３の色信号へ変換する第３の変換手段と、
前記第３の変換手段で変換された色信号と前記第１の変換手段で変換された色信号とから、プロファイルを作成して出力する出力手段とを有し、
前記色空間Ａの色信号は、明度と、色相及び彩度の属性に関係する色度点とによって表され、
前記設定手段は、前記色味調整値として、所定の白黒信号に対応する前記色空間Ａの色度点と、白黒信号に関する色空間Ａの色度点の変化率とを設定し、
前記取得手段は、前記色再現特性として、白及び黒を示す白黒信号に対応する前記色空間Ａの色信号を取得し、
前記設定手段において、前記所定の白黒信号は、中間明度に対応する白黒信号であり、
前記色度点の変化率は、ハイライト及びシャドウの白黒色信号に関する色度点の変化率であり、
前記設定手段において、前記色度点の変化率は、前記色空間Ａにおいて、前記取得手段で取得された白を示す白黒信号に対応する色度点と、前記設定手段で設定された色度点と、前記取得手段で取得された黒を示す白黒信号に対応する色度点とを結ぶ線分を線分Ｌとするとき、白黒信号に関する該線分Ｌ上の道のりの変化率であり、
前記第１の変換手段は、前記生成手段で生成された白黒色信号を、色空間Ａの明度を示す色信号へ変換し、
前記第２の変換手段では、前記生成手段で生成された白黒色信号もしくは前記第１の変換手段で変換された色信号を、前記線分Ｌ上の道のりを示す色信号に変換し、
前記第３の変換手段では、前記第２の変換手段で変換された色信号を、前記色空間Ａの色度点を示す色信号に変換し、
前記出力手段では、前記第１の変換手段で変換された色空間Ａの明度を示す色信号と、前記第３の変換手段で変換された色空間Ａの色度点を示す色信号とを用いてプロファイルを作成して出力することを特徴とするプロファイル作成装置。
【０１２１】
［実施態様１２］  前記設定手段において、前記色度点と色度点の変化率は、所定の範囲内で設定されることを特徴とする実施態様１１に記載のプロフィル作成装置。
【０１２２】
［実施態様１３］  コンピュータに実施態様１１又は実施態様１２に記載のプロファイル作成装置のプロファイル作成方法を実行させるためのプログラム。
【０１２３】
［実施態様１４］  入力白黒画像データを指定した画像出力装置のカラー画像データに変換する画像変換装置であって、
白黒信号をユーザの所望の色味に調整するための色味調整値を設定する設定手段と、
前記画像出力装置及び記録媒体に依存する色再現特性を取得する取得手段と、前記取得手段で取得された色再現特性を用いて入力白黒画像データを構成する白黒信号を第１の色信号へ変換する第１の変換手段と、
前記設定手段で設定された色味調整値と前記取得手段で取得された色信号とを用いて入力白黒画像データを構成する白黒信号もしくは前記第１の変換手段で変換された色信号を第２の色信号へ変換する第２の変換手段と、
前記第２の変換手段で変換された色信号を第３の色信号へ変換する第３の変換手段と、
前記取得手段で取得された色再現特性を用いて前記第３の変換手段で変換された色信号と前記第１の変換手段で変換された色信号とから、前記画像出力装置のカラー画像データを作成して出力する出力手段とを有し、
前記色空間Ａの色信号は、明度と、色相及び彩度の属性に関係する色度点とによって表され、
前記設定手段は、前記色味調整値として、所定の白黒信号に対応する前記色空間Ａの色度点と、白黒信号に関する色空間Ａの色度点の変化率とを設定し、
前記取得手段は、前記画像出力装置の白及び黒を示す色信号を含む離散的な色信号に対応する前記色空間Ａの色信号を取得し、
前記設定手段において、前記所定の白黒信号は、中間明度に対応する白黒信号であり、
前記色度点の変化率は、ハイライト及びシャドウの白黒色信号に関する色度点の変化率であり、
前記設定手段において、前記色度点の変化率は、前記色空間Ａにおいて、前記取得手段で取得された白を示す色信号に対応する色度点と、前記設定手段で設定された色度点と、前記取得手段で取得された黒を示す色信号に対応する色度点とを結ぶ線分を線分Ｌとするとき、白黒信号に関する該線分Ｌ上の道のりの変化率であり、
前記第１の変換手段は、入力白黒画像データを構成する白黒信号を、色空間Ａの明度を示す色信号へ変換し、
前記第２の変換手段では、入力白黒画像データを構成する白黒信号もしくは前記第１の変換手段で変換された色信号を、前記線分Ｌ上の道のりを示す色信号に変換し、
前記第３の変換手段では、前記第２の変換手段で変換された色信号を、前記色空間Ａの色度点を示す色信号に変換し、
前記出力手段では、前記取得手段で取得された色再現特性を用いて、前記第１の変換手段で変換された色空間Ａの明度を示す色信号と、前記第３の変換手段で変換された色空間Ａの色度点を示す色信号とから、前記画像出力装置のカラー画像データを作成して出力することを特徴とする画像変換装置。
【０１２４】
［実施態様１５］  前記設定手段において、前記色度点と色度点の変化率は、所定の範囲内で設定されることを特徴とする実施態様１４に記載の画像変換装置。
【０１２５】
［実施態様１６］  コンピュータに実施態様１４又は実施態様１５に記載の画像変換装置の画像変換方法を実行させるためのプログラム。
【０１２６】
［実施態様１７］  入力白黒画像を構成する白黒信号を接続された画像出力装置の色信号へ変換する画像処理装置であって、
白黒信号をユーザの所望の色味に調整するための色味調整値を設定する設定手段と、
前記画像出力装置及び記録媒体に依存する色再現特性を取得する取得手段と、前記取得手段で取得された色再現特性を用いて入力白黒画像を構成する白黒信号を第１の色信号へ変換する第１の変換手段と、
前記設定手段で設定された色味調整値と前記取得手段で取得された色再現特性とを用いて入力白黒画像を構成する白黒信号もしくは前記第１の変換手段で変換された色信号を第２の色信号へ変換する第２の変換手段と、
前記第２の変換手段で変換された色信号を第３の色信号へ変換する第３の変換手段と、
前記取得手段で取得された色再現特性を用いて前記第３の変換手段で変換された色信号と前記第１の変換手段で変換された色信号とを、前記画像出力装置の色信号へ変換して出力する出力手段とを有し、
前記色空間Ａの色信号は、明度と、色相及び彩度の属性に関係する色度点とによって表され、
前記設定手段は、前記色味調整値として、所定の白黒信号に対応する前記色空間Ａの色度点と、白黒信号に関する色空間Ａの色度点の変化率とを設定し、
前記取得手段は、前記画像出力装置の白及び黒を示す色信号を含む離散的な色信号に対応する前記色空間Ａの色信号を取得し、
前記設定手段において、前記所定の白黒信号は、中間明度に対応する白黒信号であり、
前記色度点の変化率は、ハイライト及びシャドウの白黒色信号に関する色度点の変化率であり、
前記設定手段において、前記色度点の変化率は、前記色空間Ａにおいて、前記取得手段で取得された白を示す色信号に対応する色度点と、前記設定手段で設定された色度点と、前記取得手段で取得された黒を示す色信号に対応する色度点とを結ぶ線分を線分Ｌとするとき、白黒信号に関する該線分Ｌ上の道のりの変化率であり、
前記第１の変換手段は、入力白黒画像を構成する白黒信号を、色空間Ａの明度を示す色信号へ変換し、
前記第２の変換手段では、入力白黒画像を構成する白黒信号もしくは前記第１の変換手段で変換された色信号を、前記線分Ｌ上の道のりを示す色信号に変換し、
前記第３の変換手段では、前記第２の変換手段で変換された色信号を、前記色空間Ａの色度点を示す色信号に変換し、
前記出力手段では、前記取得手段で取得された色再現特性を用いて前記第１の変換手段で変換された色空間Ａの明度を示す色信号と、前記第３の変換手段で変換された色空間Ａの色度点を示す色信号とから、前記画像出力装置の色信号を生成して出力することを特徴とする画像処理装置。
【０１２７】
［実施態様１８］  前記設定手段において、前記色度点と色度点の変化率は、所定の範囲内で設定されることを特徴とする実施態様１７に記載の画像変換装置。
【０１２８】
［実施態様１９］  コンピュータに実施態様１７又は実施態様１８に記載の画像処理装置の画像変換方法を実行させるためのプログラム。
【０１２９】
［実施態様２０］  実施態様１０、実施態様１３、実施態様１６、実施態様１９の何れか一項に記載のプログラムが記録されたコンピュータ読み取り可能な記録媒体。
【０１３０】
【発明の効果】
以上説明したように、本発明によれば、白黒画像を色が偏らず、ユーザが好みの色味で印刷するためのプロファイルを生成することができる。
【図面の簡単な説明】
【図１】カラーマネージメントシステム（ＣＭＳ）の概要を説明する図である。
【図２】ＣＭＳを利用した画像出力システムの一例を示すブロック図である。
【図３】第一実施形態における画像処理装置の基本構成を示す図である。
【図４】第一実施形態における画像処理装置の機能構成を示す図である。
【図５】階調特性保持部４０８に格納される階調特性の一例を示す図である。
【図６】白黒信号ＧＬと明度Ｌ＊  との対応関係の一例を示す図である。
【図７】色味変換テーブル保持部４０９に格納される色味変換テーブルの一例を示す図である。
【図８】ＣＩＥＬＡＢ色空間のａ＊  ｂ＊  色度平面に投影された色度点軌跡を模式的に示す図である。
【図９】図７に示した色味変換テーブルを構成する明度Ｌ＊  と距離信号ｌとの対応関係の一例を示す図である。
【図１０】色度ラインテーブル保持部４１０に格納される色度ラインテーブルの一例を示す図である。
【図１１】グレイ色度点を設定するためのＵＩの一例を示す図である。
【図１２】色度点の変化率を設定するためのＵＩの一例を示す図である。
【図１３】第一実施形態におけるプロファイル作成手順を示すフローチャートである。
【図１４】第二実施形態における画像処理装置の機能構成を示す図である。
【図１５】出力プロファイル保持部１４１０に格納される出力プロファイルの一例を示す図である。
【図１６】第二実施形態における色票画像の一例を示す図である。
【図１７】第二実施形態における画像処理手順を示すフローチャートである。
【図１８】第一及び第二実施形態の変形例における画像処理装置の機能構成の一部を示す図である。
【図１９】第三実施形態における画像処理装置とその周辺機器との構成を示す図である。
【図２０】第三実施形態における画像処理装置１９００の基本構成を示す図である。
【図２１】図１９に示す画像処理部１９２０の機能構成を示す図である。
【図２２】出力プロファイル保持部２１１０に格納される出力プロファイルの一例を示す図である。
【図２３】色分解ＬＵＴ保持部２１１１に格納される色分解ＬＵＴの一例を示す図である。
【図２４】第三実施形態における画像処理手順を示すフローチャートである。
【図２５】変形例におけるグレイ色度点を設定するＵＩの一例を示す図である。
【図２６】変形例における色度点の変化率を設定するＵＩの一例を示す図である。
【図２７】第三実施形態の変形例における画像処理部の機能構成を示す図である。
【符号の説明】
１０１  カラーコピー
１０２  カラーモニタ
１０３  デジタルカメラ
１０４  カラープリンタ
２０１  入力プロファイル変換部
２０２  カラーマッピング部
２０３  出力プロファイル変換部
２０４  色分解変換部
２０５  入力プロファイル格納部
２０６  出力プロファイル格納部
２０７  色分解ＬＵＴ格納部
３０１  ＣＰＵ
３０２  ＲＡＭ
３０３  ＲＯＭ
３０４  操作部
３０５  表示部
３０６  外部記憶装置
３０７  画像処理プログラム
３０８  パラメータ
３０９  記録媒体ドライブ
３１０  システムバス
４０１  色信号生成部
４０２  階調特性変換部
４０３  色味変換Ａ部
４０４  色味変換Ｂ部
４０５  フォーマット部
４０６  プロファイル取得部
４０７  色味調整値設定部
４０８  階調特性保持部
４０９  色味変換テーブル保持部
４１０  色度ラインテーブル保持部
【図１】
2004266348.tif 000003
【図２】
2004266348.tif 000004
【図３】
2004266348.tif 000005
【図４】
2004266348.tif 000006
【図５】
2004266348.tif 000007
【図６】
2004266348.tif 000008
【図７】
2004266348.tif 000009
【図８】
2004266348.tif 000010
【図９】
2004266348.tif 000011
【図１０】
2004266348.tif 000012
【図１１】
2004266348.tif 000013
【図１２】
2004266348.tif 000014
【図１３】
2004266348.tif 000015
【図１４】
2004266348.tif 000016
【図１５】
2004266348.tif 000017
【図１６】
2004266348.tif 000018
【図１７】
2004266348.tif 000019
【図１８】
2004266348.tif 000020
【図１９】
2004266348.tif 000021
【図２０】
2004266348.tif 000022
【図２１】
2004266348.tif 000023
【図２２】
2004266348.tif 000024
【図２３】
2004266348.tif 000025
【図２４】
2004266348.tif 000026
【図２５】
2004266348.tif 000027
【図２６】
2004266348.tif 000028
【図２７】
2004266348.tif 000029